(57)【要約】      （修正有）【課題】複数のＰＣ鋼棒ユニットに対して同時に緊縮力を導入できるＰＣ鋼棒ユニットの緊縮力導入装置を提供する。【解決手段】後端部分外周面に雄ねじを有する中空ＰＣ鋼棒１９、中空ＰＣ鋼棒内に差し込まれたＰＣ鋼棒製の反力芯金２０、中空ＰＣ鋼棒の先端にて反力芯金の先端を当接位置決めする芯金ストッパー２１、中空ＰＣ鋼棒を支持するベース１８、中空ＰＣ鋼棒の後端部に螺合され差込み口１４Ａから工具が差込み可能な緊張用治具１４、反力芯金の後端と当接される押込みロッド１７、及び押込みロッドの背後にて緊張用治具の内面に螺合され中央挿通穴１５Ｂに押込みロッドが挿通されるロッドストッパー１５から構成されるＰＣ鋼棒ユニットと、ピストンロッドによって押込みロッドを押し込む流体シリンダ１３と、流体シリンダに流体を供給する流体源と、緊張用治具の差込み口から差込まれてロッドストッパーを螺進させる操作工具と、を備える。【選択図】図２
2018178360.tif 000002
【特許請求の範囲】
【請求項１】
少なくとも後端部分の外周面に雄ねじを有する中空ＰＣ鋼棒（１９）、該中空ＰＣ鋼棒（１９）内に差し込まれたＰＣ鋼棒製の反力芯金（２０）、上記中空ＰＣ鋼棒（１９）の先端にて上記反力芯金（１２）の先端を当接位置決めする芯金ストッパー（２１）、中央の貫通穴（１８Ａ）に上記中空ＰＣ鋼棒（１９）が挿通又は螺合され上記中空ＰＣ鋼棒（１９）を支持するベース（１８）、上記中空ＰＣ鋼棒（１９）の後端部の雄ねじに螺合され内部に雌ねじを有し差込み口（１４Ａ）から工具が差込み可能な緊張用治具（１４）、該緊張用治具（１４）内に挿入され上記反力芯金（２０）の後端と当接される押込みロッド（１７）、及び上記押込みロッド（１７）の背後にて上記緊張用治具（１４）の内面雌ねじに螺合され中央に上記押込みロッド（１７）が挿通される挿通穴（１５Ｂ）及び背面に操作凹部（１５Ａ）を有するロッドストッパー（１５）から構成されるＰＣ鋼棒ユニット（３０）と、
上記緊張用治具（１４）の内面雌ねじに螺合されピストンロッド（１３Ａ）が押込みロッド（１７）に当接され該押込みロッド（１７）を押し込む流体シリンダ（１３）と、
該流体シリンダ（１３）に流体を供給する流体源（１０）と、
上記緊張用治具（１４）の差込み口（１４）から差込まれて突起（２２Ａ）が上記操作凹部（１５Ａ）に嵌合されロッドストッパー（１５）を回転させて螺進させる操作工具（２２）と、
を備えたことを特徴とするＰＣ鋼棒ユニットの緊縮力導入装置。
【請求項２】
上記流体源（１０）はＰＣ鋼棒ユニット（３０）を緊縮させる複数の流体シリンダ（１３）に対して流体が供給されるようになっている請求項１記載のＰＣ鋼棒ユニットの緊縮力導入装置。
【発明の詳細な説明】
【技術分野】
【０００１】
本発明はＰＣ鋼棒ユニットの緊縮力導入装置に関し、特に複数のＰＣ鋼棒ユニットに対して同時に緊縮力を導入できるようにした装置に関する。
【背景技術】
【０００２】
コンクリート製の柱や梁などのコンクリート構造体に、ＰＣ鋼棒ユニットによってプレストレスを導入し、柱や梁の強度アップを図るようにしたＮＡＰＰ工法が実用化されている。
【０００３】
このＰＣ鋼棒ユニットでは筒状の中空ＰＣ鋼棒内に反力ＰＣ鋼棒を挿入し、反力ＰＣ鋼棒を圧縮して中空ＰＣ鋼棒に引張り力を作用させ、反力ＰＣ鋼棒が元の長さに戻らないようにすることによって中空ＰＣ鋼棒を引張り状態に保持し、コンクリート構造体の穴に中空ＰＣ鋼棒を差し込んでその周囲にコンクリートを打設し、コンクリートの固化後に反力ＰＣ鋼棒の保持を解放することによって中空ＰＣ鋼棒の引っ張りを解除し、コンクリート構造体にプレストレスを導入することが行われている（特許文献１）。
【０００４】
従来、一対のフレームの間をロッドで連結し、一方のフレームにはアダプターとナットによって中空ＰＣ鋼棒を係止し、中空ＰＣ鋼棒内には反力ＰＣ鋼棒を挿入して反力ＰＣ鋼棒の一端をストッパーによって抜け止めし、中空ＰＣ鋼棒の他端には筒体を螺合させ、筒体内には係止片を内蔵してナットによって抜け止めし、係止片を反力ＰＣ鋼棒に押し当て、他方のフレームに設けたハンドルの回転によって係止片を前進させて反力ＰＣ鋼棒を圧縮し、筒体を螺進させて係止片をナットによってロックし、反力ＰＣ鋼棒によって中空ＰＣ鋼棒に引っ張り力を作用させた状態に保持するようにしたＰＣ鋼棒ユニットの緊縮装置が知られている（特許文献２）。
【０００５】
また、中空ＰＣ鋼棒に鋼棒を挿通し、鋼棒の両端部に雄ねじを形成するとともに、中空ＰＣ鋼棒の両端部に雄ねじを形成し、中空ＰＣ鋼棒の雄ねじに支圧板及び保持筒を螺合させ、鋼棒端部の雄ねじに雌ねじ部材を螺合させる一方、保持筒の他端部に蓋を取付け、支圧板に筒状の支持部材を取付け、支持部材内にジャッキを係止し、ジャッキの可動部を鋼棒の先端に係止させて伸長させることによって中空ＰＣ鋼棒に引っ張り力を作用させた後、保持筒を螺進させて蓋と雌ねじ部材を当接させ、その状態で支持部材及びジャッキを取外して中空ＰＣ鋼棒に引っ張り力を作用させた状態に保持するようにしたＰＣ鋼棒ユニットの緊縮装置が知られている（特許文献３）。
【０００６】
他方、本件発明者は、外周面に雄ねじが形成された中空ＰＣ鋼棒、中空ＰＣ鋼棒内に差し込まれた反力芯金、中空ＰＣ鋼棒の先端と当接される芯金ストッパー、中空ＰＣ鋼棒を支持する止圧板、止圧板を位置決めする弛止めナット、ＰＣ鋼棒に螺合された筒状ナット、筒状ナット内に設けられた押圧板、筒状ナットの回転によって螺進されて押圧板と当接され得るストッパー板から構成されるＰＣ鋼棒ユニットと、ストッパー板に挿通されて押圧板を押す継ぎロッドと、装置ベース一端側にて止圧板を受ける移動受圧板と、装置ベースの他端側に固定された固定受圧板と、固定受圧板に取付けられ可動子によって継ぎロッドを加圧するとともに加圧力及び伸びを表示するジャッキと、を備えたＰＣ鋼棒ユニットの緊縮力導入装置を提案するに至った（特許文献４）。
【先行技術文献】
【特許文献】
【０００７】
【特許文献１】特許第５５５１５２７号公報
【特許文献２】特許第２６７８１５８号公報
【特許文献３】特許第２５７９５７７号公報
【特許文献４】特開２０１６−１５３７４７号公報
【発明の概要】
【発明が解決しようとする課題】
【０００８】
しかし、特許文献４記載のＰＣ鋼棒ユニットの緊縮力導入装置では特許文献２、３記載の装置に比較して、ＰＣ鋼棒ユニットに所望の大きさの緊縮力を精度よく導入でき、コンクリート構造物に対する適切なプレストレスを導入することができるものの、ジャッキを用いているので、複数のＰＣ鋼棒ユニットに対して緊縮力を導入する場合には多数のジャッキを必要とし、作業が煩雑となってしまう。
【０００９】
本発明はかかる問題点に鑑み、複数のＰＣ鋼棒ユニットに対して同時に緊縮力を導入できるようにしたＰＣ鋼棒ユニットの緊縮力導入装置を提供することを課題とする。
【課題を解決するための手段】
【００１０】
そこで、本発明に係るＰＣ鋼棒ユニットの緊縮力導入装置は、少なくとも後端部分の外周面に雄ねじを有する中空ＰＣ鋼棒、該中空ＰＣ鋼棒内に差し込まれたＰＣ鋼棒製の反力芯金、上記中空ＰＣ鋼棒の先端にて上記反力芯金の先端を当接位置決めする芯金ストッパー、中央の貫通穴に上記中空ＰＣ鋼棒が挿通又は螺合され上記中空ＰＣ鋼棒を支持するベース、上記中空ＰＣ鋼棒の後端部の雄ねじに螺合され内部に雌ねじが形成され差込み口から工具が差込み可能な緊張用治具、該緊張用治具内に挿入され上記反力芯金の後端と当接される押込みロッド、及び上記押込みロッドの背後にて上記緊張用治具の内面雌ねじに螺合され中央に上記押込みロッドが挿通される挿通穴及び背面に操作凹部を有するロッドストッパーから構成されるＰＣ鋼棒ユニットと、上記緊張用治具の内面雌ねじに螺合されピストンロッドが押込みロッドに当接され該押込みロッドを押し込む流体シリンダと、該流体シリンダに流体を供給する流体源と、上記緊張用治具の差込み口から差込まれて突起が上記操作凹部に嵌合されロッドストッパーを回転させて螺進させる操作工具と、を備えたことを特徴とする。
【００１１】
本発明の特徴の１つは流体シリンダによってＰＣ鋼棒ユニットの反力芯金を圧縮した後、操作工具を緊張用治具の差込み口から差し込んでロッドストッパーを回転操作して螺進させ、押込みロッドを係止してＰＣ鋼棒ユニットに所望の緊縮力を与えるようにした点にある。
【００１２】
これにより、ＰＣ鋼棒ユニットを所定の緊縮力でもって正確に付与することができ、コンクリート構造体に適切な大きさのプレストレスを導入することができる。
しかも、流体シリンダを用いているので、複数のＰＣ鋼棒ユニットに同時に所定の緊縮力でもって正確に付与することができる。
【００１３】
すなわち、本発明によれば、流体源はＰＣ鋼棒ユニットを緊縮させる複数の流体シリンダに対して流体が供給されるように構成することができる。
【００１４】
また、操作工具でロッドストッパーを回転操作して螺進退させ、押込みロッドを係止してＰＣ鋼棒ユニットに所望の緊縮力を付与した後は流体シリンダを取り外すことができ、作業性を大幅に改善できる。
【００１５】
また、本発明の第２の特徴はＰＣ鋼棒ユニットを、中空ＰＣ鋼棒、反力芯金、芯金ストッパー、ベース、押込みロッド、緊張用治具及びロッドストッパーによって構成するようにした点にある。
【００１６】
これにより、緊縮したＰＣ鋼棒ユニットを敷設場所に設置してコンクリートを打設し、コンクリート硬化後に緊張用治具を外すと、応力芯金、押込みロッド及びロッドストッパーを回収することができ、部材を有効利用することができる。
【図面の簡単な説明】
【００１７】
【図１】本発明に係るＰＣ鋼棒ユニットの緊縮力導入装置の好ましい実施形態を模式的に示す図である。
【図２】上記実施形態における要部を示す構成断面図である。
【図３】上記実施形態における緊張用治具及びロッドストッパーと操作工具を示す概略斜視図である。
【発明を実施するための形態】
【００１８】
以下、本発明を図面に示す具体例に基づいて詳細に説明する。図１ないし図３は本発明に係るＰＣ鋼棒ユニットの緊縮力導入装置の好ましい実施形態を示す。図において、ＰＣ鋼棒ユニット３０は中空ＰＣ鋼棒１９、ＰＣ鋼棒製の反力芯金２０、芯金ストッパー２１、ベース１８、緊張用治具１４、ロッドストッパー１５から構成されている。
【００１９】
中空ＰＣ鋼棒１９は高張力鋼を用いてパイプ状に製造され、その後端部外周面には雄ねじが転造などによって形成されている。この中空ＰＣ鋼棒１９の先端開口は芯金ストッパー２１が嵌合などによって固定され、又中空ＰＣ鋼棒１９内には後端側から反力芯金２０が差し込まれて芯金ストッパー２１に当接されて位置決めされている。なお、中空ＰＣ鋼棒１９及び反力芯金２０は途中で連結ナット及び連結リングによって連結されることによって任意の長さに設定されることができる。
【００２０】
また、中空ＰＣ鋼棒１９はベース１８の挿通穴１８Ａに挿通されるとともに、ベース１８が固定構造物に支持されることによって中空ＰＣ鋼棒１９が保持されるようになっている。
【００２１】
中空ＰＣ鋼棒１９の後端部の雄ねじには緊張用治具１４が螺合されている。この緊張用治具１４は大径及び小径の２段階の中空状をなし、小径中空状部１４Ｃには押込みロッド１７が差し込まれ、押込みロッド１７の中間拡径部１７Ａが小径中空状部１４Ｃ内面に摺接されてスライド自在となっており、押し込まれて反力芯金２０の後端に当接されるようになっている。
【００２２】
また、緊張用治具１４は大径中空状部１４Ｄにロッドストッパー１５がスライド自在に差し込まれている。このロッドストッパー１５は中央に押込みロッド１７の後端部が挿入される挿通穴１５Ｂが形成されるとともに、その周囲に複数の操作凹部１５Ａが形成されている。
【００２３】
さらに、緊張用治具１４の大径中空状部１４Ｄには操作工具２２の差込み口１４Ａが形成されている一方、操作工具１４は先端が二股状をなし、二股状部分には突起２２Ａが形成され、差込み口１４Ａから操作工具１４を差し込んで突起２２Ａをロッドストッパー１５は操作凹部１５Ａに嵌合させ、ロッドストッパー１５を回転させて螺進させ、押込みロッド１７を反力芯金２０の後端に当接させて位置決めできるようになっており、こうして中空ＰＣ鋼棒ユニット３０が構成されている。
【００２４】
また、緊張用治具１４の後端部内面の雌ねじには油圧シリンダ１３が螺合されるようになっている。
【００２５】
複数の中空ＰＣ鋼棒ユニット３０がレイアウトされ、各中空ＰＣ鋼棒ユニット３０の油圧シリンダ１３にはオイルポンプ１０から油圧ホース１１及び分岐ホース１２を経て圧油が供給されるようになっている。
【００２６】
次に、ＰＣ鋼棒ユニット１９の緊縮方法について説明する。まず、中空ＰＣ鋼棒１９の先端開口を芯金ストッパー２１で封鎖し、この中空ＰＣ鋼棒１９内に反力芯金２０を芯金ストッパー２１に当たるまで差し込むとともに、中空ＰＣ鋼棒１９の後端部分の雄ねじに緊張用治具１４を螺合させる。このとき、緊張用治具１４内には押込みロッド１７及びロッドストッパー１５がセットされている。
【００２７】
次に、中空ＰＣ鋼棒１９をベース１８に挿通して固定構造部分等に支持して中空ＰＣ鋼棒１９を保持するとともに、緊張用治具１４の後端部内面の雌ねじに油圧シリンダ１３を螺合させてピストンロッド１３Ａの先端を押込みロッド１７の後端に係合させる。
【００２８】
こうして準備が済むと、オイルポンプ１０を作動させ、油圧シリンダ１３に圧油を供給してピストンロッド１３Ａを伸長させると、押込みロッド１７が押し込まれて反力芯金２０を押し込む。このとき、反力芯金２９の緊縮力を圧縮試験機（図示せず）で測定しておき、所望の緊縮力に達すると、圧油の供給を停止し、緊張用治具１４の差込み口１４Ａから操作工具２２を差込み、ロッドストッパー１５を螺進させて押込みロッド１７の中間拡径部１７Ａに当接位置決めすると、反力芯金２０が所望の緊縮状態に保持され、これによって中空ＰＣ鋼棒１９に所定の緊縮力を与えることができる。
【００２９】
以上のように、工場や現場において、ＰＣ鋼棒ユニット３０を所定の緊縮力でもって正確に緊縮することができる。
【００３０】
そこで、油圧シリンダ１３を取外し、コンクリート打設現場にセットし、コンクリートを打設してコンクリートが乾燥して固化すると、緊張用軸１４を取外して回収すると、コンクリート構造物に適切な大きさのプレストレスを導入することができる。
【符号の説明】
【００３１】
１３      油圧シリンダ（流体シリンダ）
１４      緊張用治具
１５      ロッドストッパー
１７      押込みロッド
１８      ベース
１９      中空ＰＣ鋼棒
２０      反力芯金
２１      芯金ストッパー
２２      操作工具
３０      ＰＣ鋼棒ユニット
【図１】
2018178360.tif 000003
【図２】
2018178360.tif 000004
【図３】
2018178360.tif 000005